(57)【特許請求の範囲】
【請求項１】
光源からの測定光を受光する平面検出器の検出面の歪み量を算出するための方法であって、
前記光源と前記検出面との間に、複数の構造物が配列された校正ファントムを配置するファントム配置ステップと、
前記校正ファントムの姿勢又は位置の少なくとも一方を初期状態から変化させ、その変化の前後で前記校正ファントムを透過する前記光源からの測定光をそれぞれ前記検出面で受光することにより、複数の投影像を生成する投影像生成ステップと、
前記複数の投影像における前記複数の構造物の座標に基づいて、前記検出面の歪み量を算出する歪み量算出ステップとを含むことを特徴とする平面検出器の歪み量算出方法。
【請求項２】
前記校正ファントムには、前記複数の構造物が平面的に配列されており、
前記複数の投影像における前記複数の構造物の座標に、前記検出面の歪み量及び前記複数の構造物の座標の計測誤差をそれぞれ未知数として付加した補正投影座標を用いて、前記初期状態以外の当該補正投影座標を初期状態の当該補正投影座標に対応するように射影変換するときの射影行列を決定する射影行列決定ステップをさらに備え、
前記歪み量算出ステップでは、前記初期状態の補正投影座標と、前記射影行列を用いて射影変換することで得られる座標との誤差が小さくなる最適値となるように、前記検出面の歪み量を算出することを特徴とする請求項１に記載の平面検出器の歪み量算出方法。
【請求項３】
前記投影像生成ステップでは、前記校正ファントムに直交する軸を中心に前記校正ファントムを前記初期状態から９０°ずつ回転させ、それぞれの回転位置で前記校正ファントムを透過する前記光源からの測定光を前記検出面で受光することにより、４つの投影像を生成することを特徴とする請求項２に記載の平面検出器の歪み量算出方法。
【請求項４】
前記投影像生成ステップでは、前記校正ファントムを前記初期状態、当該初期状態から左右反転させた状態、及び、当該初期状態から上下反転させた状態で、それぞれ前記校正ファントムを透過する前記光源からの測定光を前記検出面で受光することにより、３つの投影像を生成することを特徴とする請求項２に記載の平面検出器の歪み量算出方法。
【請求項５】
前記投影像生成ステップでは、前記校正ファントムに直交する軸を中心に前記校正ファントムを前記初期状態から９０°ずつ回転させるとともに、前記初期状態から表裏反転させた状態で前記軸を中心に前記校正ファントムを前記初期状態から９０°ずつ回転させ、それぞれの回転位置で前記校正ファントムを透過する前記光源からの測定光を前記検出面で受光することにより、８つの投影像を生成することを特徴とする請求項２に記載の平面検出器の歪み量算出方法。
【請求項６】
前記複数の構造物は、前記校正ファントムに直交する軸を中心に、半径の異なる複数の円周上に配列されており、
前記投影像生成ステップでは、前記軸を中心に前記校正ファントムを前記初期状態から所定角度ずつ回転させ、それぞれの回転位置で前記校正ファントムを透過する前記光源からの測定光を前記検出面で受光することにより、複数の投影像を生成することを特徴とする請求項２に記載の平面検出器の歪み量算出方法。
【請求項７】
前記校正ファントムには、前記複数の構造物が立体的に配置されており、
前記複数の投影像における前記複数の構造物の座標に基づいて、前記校正ファントムにおける前記複数の構造物の三次元座標を推定する座標推定ステップをさらに含み、
前記歪み量算出ステップでは、前記複数の投影像における前記複数の構造物の座標に前記検出面の歪み量を未知数として付加した補正投影座標と、推定された前記複数の構造物の三次元座標を前記検出面にそれぞれ投影することにより得られる座標との誤差が小さくなる最適値となるように、前記検出面の歪み量を算出することを特徴とする請求項１に記載の平面検出器の歪み量算出方法。
【請求項８】
前記投影像生成ステップでは、ＣＴ撮影用の回転ステージを用いて、前記校正ファントムに対する回転又は移動の少なくとも一方を行うことを特徴とする請求項７に記載の平面検出器の歪み量算出方法。
【請求項９】
前記複数の構造物は、それぞれ球体であることを特徴とする請求項１〜８のいずれか一項に記載の平面検出器の歪み量算出方法。
【請求項１０】
前記複数の投影像における前記複数の構造物の座標は、前記複数の構造物を構成する各球体の中心位置の座標であることを特徴とする請求項９に記載の平面検出器の歪み量算出方法。
【発明の詳細な説明】
【技術分野】
【０００１】
本発明は、光源からの測定光を受光する平面検出器の検出面の歪み量を算出するための方法に関するものである。
【背景技術】
【０００２】
従来より、光源からの測定光を受光する検出器として、平面検出器が利用されている。例えば、Ｘ線を用いた検査装置では、平面検出器は、光源と間隔を隔てて配置されており、これらの間に測定対象物が配置される。この状態で、光源からＸ線が照射され、平面検出器において、測定物に照射された後のＸ線が受光される。そして、平面検出器からの検出信号に基づいて、Ｘ線画像が形成される。【０００３】
一般的に、このような装置で用いられる平面検出器の検出面は、完全な平面ではなく、微小な歪みが生じている。そのため、平面検出器からの検出信号には、歪みによって生じる誤差（ずれ）が含まれてしまう。そして、その検出信号をそのまま用いてＸ線画像を形成すると、画像の精度が低下してしまう。
そこで、平面検出器の検出面の歪み量を算出する方法が提案されている（例えば、下記特許文献１及び２参照）。【０００４】
特許文献１に記載の方法では、中心位置の座標が既知の鋼球を複数備えた校正ファントム（校正体）を、光源と平面検出器との間に配置する。この状態で、光源から平面検出器に向けてＸ線を照射する。そして、平面検出器からの検出信号に基づいて形成されたＸ線画像（鋼球の画像）の中心位置、及び、鋼球の実際の中心位置に基づいて、平面検出器の検出面の歪みを算出している。【０００５】
特許文献２に記載の方法では、径の寸法が既知の鋼球を複数備えた校正ファントムを、光源と平面検出器との間に配置する。この状態で、光源から平面検出器に向けてＸ線を照射する。そして、平面検出器からの検出信号に基づいて形成されたＸ線画像（鋼球の画像）の径、及び、鋼球の実際の径の寸法に基づいて、平面検出器の検出面の歪みを算出している。
上記のようにして算出した歪み量に基づいて、平面検出器からの検出信号を補正すれば、検出信号に含まれる誤差を少なくできる。
【先行技術文献】
【特許文献】
【０００６】
【特許文献１】米国特許出願公開第２０１３／０２３０１５０号明細書
【特許文献２】米国特許第９１４６３２７号明細書
【発明の概要】
【発明が解決しようとする課題】
【０００７】
上記した従来の算出方法を用いる場合には、校正ファントムを準備する際の作業負担が増大する可能性があるという不具合があった。【０００８】
具体的には、上記した特許文献１に記載の方法を用いる場合には、事前に校正ファントムに含まれる複数の鋼球の中心位置の座標を高精度で計測して求めておく必要があり、作業が煩雑になるという不具合があった。【０００９】
また、上記した特許文献２に記載の方法を用いる場合には、校正ファントムに含まれる複数の鋼球の径が同一となる必要があるため、高精度で校正ファントムを製造する必要があった。また、実際に鋼球の径が同一か否かを確認する必要もあり、作業が煩雑になるという不具合があった。
本発明は、上記実情に鑑みてなされたものであり、作業負担を軽減できる平面検出器の歪み量算出方法を提供することを目的とする。
【課題を解決するための手段】
【００１０】
（１）本発明に係る平面検出器の歪み量算出方法は、光源からの測定光を受光する平面検出器の検出面の歪み量を算出するための方法である。前記平面検出器の歪み量算出方法は、ファントム配置ステップと、投影像生成ステップと、歪み量算出ステップとを含む。前記ファントム配置ステップでは、前記光源と前記検出面との間に、複数の構造物が配列された校正ファントムを配置する。前記投影像生成ステップでは、前記校正ファントムの姿勢又は位置の少なくとも一方を初期状態から変化させ、その変化の前後で前記校正ファントムを透過する前記光源からの測定光をそれぞれ前記検出面で受光することにより、複数の投影像を生成する。前記歪み量算出ステップでは、前記複数の投影像における前記複数の構造物の座標に基づいて、前記検出面の歪み量を算出する。【００１１】
このような方法によれば、１つの校正ファントムの姿勢又は位置の少なくとも一方を初期状態から変化させることにより、複数の投影像を生成し、その複数の投影像における複数の構造物の座標に基づいて検出面の歪み量を算出する。【００１２】
そのため、校正ファントムにおける複数の構造物の位置を事前に計測する必要性や、校正ファントムにおける複数の構造物を高精度で同一に製造する必要性を排除できる。【００１３】
その結果、校正ファントムにおける複数の構造物の位置を事前に計測する作業や、校正ファントムにおける複数の構造物の寸法を事前に確認する作業などを省くことができ、作業負担を軽減できる。【００１４】
（２）また、前記校正ファントムには、前記複数の構造物が平面的に配列されていてもよい。前記平面検出器の歪み量算出方法は、射影行列決定ステップをさらに備えてもよい。前記射影行列決定ステップでは、前記複数の投影像における前記複数の構造物の座標に、前記検出面の歪み量及び前記複数の構造物の座標の計測誤差をそれぞれ未知数として付加した補正投影座標を用いて、前記初期状態以外の当該補正投影座標を初期状態の当該補正投影座標に対応するように射影変換するときの射影行列を決定する。前記歪み量算出ステップでは、前記初期状態の補正投影座標と、前記射影行列を用いて射影変換することで得られる座標との誤差が小さくなる最適値となるように、前記検出面の歪み量を算出してもよい。【００１５】
このような方法によれば、検出面の歪み量を付加した補正投影座標と、射影行列を用いて射影変換を行った座標とを用いることにより、平面検出器の検出面の歪み量を容易に算出できる。【００１６】
（３）また、前記投影像生成ステップでは、前記校正ファントムに直交する軸を中心に前記校正ファントムを前記初期状態から９０°ずつ回転させ、それぞれの回転位置で前記校正ファントムを透過する前記光源からの測定光を前記検出面で受光することにより、４つの投影像を生成してもよい。【００１７】
このような方法によれば、簡易な方法で、複数の投影像を生成できる。【００１８】
（４）また、前記投影像生成ステップでは、前記校正ファントムを前記初期状態、当該初期状態から左右反転させた状態、及び、当該初期状態から上下反転させた状態で、それぞれ前記校正ファントムを透過する前記光源からの測定光を前記検出面で受光することにより、３つの投影像を生成してもよい。【００１９】
このような方法によれば、平面検出器の歪み量を算出する際に処理するデータの量を少なくでき、データ処理の負荷を軽減できる。【００２０】
（５）また、前記投影像生成ステップでは、前記校正ファントムに直交する軸を中心に前記校正ファントムを前記初期状態から９０°ずつ回転させるとともに、前記初期状態から表裏反転させた状態で前記軸を中心に前記校正ファントムを前記初期状態から９０°ずつ回転させ、それぞれの回転位置で前記校正ファントムを透過する前記光源からの測定光を前記検出面で受光することにより、８つの投影像を生成してもよい。【００２１】
このような方法によれば、多量のデータに基づいて、平面検出器の歪み量を算出できる。
そのため、平面検出器の歪み量を高精度で算出できる。【００２２】
（６）また、前記複数の構造物は、前記校正ファントムに直交する軸を中心に、半径の異なる複数の円周上に配列されていてもよい。前記投影像生成ステップでは、前記軸を中心に前記校正ファントムを前記初期状態から所定角度ずつ回転させ、それぞれの回転位置で前記校正ファントムを透過する前記光源からの測定光を前記検出面で受光することにより、複数の投影像を生成してもよい。【００２３】
このような方法によれば、校正ファントムを様々な角度で回転させて、複数の投影画像を生成できる。【００２４】
（７）また、前記校正ファントムには、前記複数の構造物が立体的に配置されてもよい。前記平面検出器の歪み量算出方法は、座標推定ステップをさらに含んでもよい。前記座標推定ステップでは、前記複数の投影像における前記複数の構造物の座標に基づいて、前記校正ファントムにおける前記複数の構造物の三次元座標を推定する。前記歪み量算出ステップでは、前記複数の投影像における前記複数の構造物の座標に前記検出面の歪み量を未知数として付加した補正投影座標と、推定された前記複数の構造物の三次元座標を前記検出面にそれぞれ投影することにより得られる座標との誤差が小さくなる最適値となるように、前記検出面の歪み量を算出してもよい。【００２５】
このような方法によれば、校正ファントムにおいて複数の構造物が平面的に配置されていない場合であっても、その校正ファントムを用いて、平面検出器の検出面の歪み量を算出できる。【００２６】
（８）また、前記投影像生成ステップでは、ＣＴ撮影用の回転ステージを用いて、前記校正ファントムに対する回転又は移動の少なくとも一方を行ってもよい。【００２７】
このような方法によれば、複数の投影像を容易に生成できる。【００２８】
（９）また、前記複数の構造物は、それぞれ球体であってもよい。【００２９】
このような方法によれば、校正ファントムを簡易に構成できる。そして、その校正ファントムを用いて、平面検出器の検出面の歪み量を算出できる。【００３０】
（１０）また、前記複数の投影像における前記複数の構造物の座標は、前記複数の構造物を構成する各球体の中心位置の座標であってもよい。【００３１】
このような方法によれば、複数の投影像における複数の構造物の座標を容易に計測できる。
【発明の効果】
【００３２】
本発明によれば、校正ファントムにおける複数の構造物の位置を事前に計測する必要性や、校正ファントムにおける複数の構造物を高精度で同一に製造する必要性を排除できる。そのため、校正ファントムにおける複数の構造物の位置を事前に計測する作業や、校正ファントムにおける複数の構造物の寸法を事前に確認する作業などを省くことができ、作業負担を軽減できる。
【図面の簡単な説明】
【００３３】
【図１】本発明の第１実施形態に係る平面検出器の歪み量算出方法を説明するための図であって、歪み量を算出する対象となる検出器を備えたＸ線分析装置を概略的に示した図である。
【図２】本発明の第１実施形態に係る平面検出器の歪み量算出方法で用いられる校正ファントムを示した見取り図である。
【図３】平面検出器からの検出信号に基づいて生成される複数の投影像を概略的に示した図である。
【図４】本発明の第４実施形態に係る平面検出器の歪み量算出方法で用いられる校正ファントムを示した見取り図である。
【図５】本発明の第５実施形態に係る平面検出器の歪み量算出方法を説明するための図である。
【発明を実施するための形態】
【００３４】
１．Ｘ線分析装置の構成
図１は、本発明の第１実施形態に係る平面検出器３の歪み量算出方法を説明するための図であって、歪み量を算出する対象となる平面検出器３を備えたＸ線撮影装置１を概略的に示した図である。
Ｘ線撮影装置１は、光源２と、平面検出器３と、制御部４とを備えている。
光源２は、Ｘ線光源であって、測定光としてのＸ線を出射する。
【００３５】
平面検出器３は、光源２と間隔を隔てて配置されている。平面検出器３は、Ｘ線を検出するＸ線検出器である。平面検出器３は、平板状に形成されおり、その平面部分が光源２と対向している。平面検出器３における光源２と対向する面には、検出面３１が設けられている。検出面３１は、光源２からのＸ線を受光する受光面である。
【００３６】
制御部４は、例えば、ＣＰＵ（Central Processing Unit）を含む構成である。制御部４には、平面検出器３が電気的に接続されている。制御部４は、平面検出器３からの検出信号に基づいてＸ線画像を生成（撮影）する処理を行う。
【００３７】
Ｘ線撮影装置１を用いてＸ線画像を生成する場合には、まず、光源２と、平面検出器３との間に、撮影対象物（図示せず）が配置される。この状態で、光源２からＸ線が照射される。そして、撮影対象物に照射された後のＸ線が平面検出器３の検出面３１で受光される。平面検出器３は、検出したＸ線に応じて検出信号を出力する。制御部４は、平面検出器３からの検出信号に基づいて、Ｘ線画像を生成する。この生成されたＸ線画像は、表示部（図示せず）に表示される。
【００３８】
このようなＸ線撮影装置１において、平面検出器３の検出面３１には、通常、微小な歪みが生じている。そのため、平面検出器３からの検出信号には、歪みによって生じる誤差が含まれる。
【００３９】
そこで、Ｘ線撮影装置１を用いる場合には、Ｘ線撮影に先立って、平面検出器３の検出面３１の歪み量が算出される。そして、Ｘ線撮影の際には、この算出した歪み量に基づいて、平面検出器３からの検出信号が補正され、補正された後の検出信号に基づいて、Ｘ線画像が生成される。
【００４０】
Ｘ線撮影装置１は、このような補正を行うための構成を備えている。具体的には、Ｘ線撮影装置１は、光源２と、平面検出器３との間に、校正ファントム１０を保持するための保持部（図示せず）を備えている。この保持部は、水平方向に延びる軸線を中心として回転可能に構成されている。また、Ｘ線撮影装置１は、回転駆動部５を備えている。回転駆動部５は、保持部に駆動力を付与するように構成されている。回転駆動部５は、制御部４と電気的に接続されている。
【００４１】
詳しくは後述するが、平面検出器３の検出面３１の歪み量を算出する際には、保持部によって、校正ファントム１０が保持される。そして、光源２から校正ファントム１０に向けてＸ線が照射され、そのＸ線が平面検出器３で検出される。また、回転駆動部５からの駆動力が保持部に付与されることにより、校正ファントム１０は、水平方向に延びる軸Ｌを中心として回転される。そして、校正ファントム１０の姿勢（配置）が変化した状態で、光源２から校正ファントム１０に向けてＸ線が照射され、そのＸ線が平面検出器３で検出される。
【００４２】
このように、平面検出器３の検出面３１の歪み量を算出する際には、１つの校正ファントム１０から、複数のＸ線画像（投影像）が生成される。そして、生成された複数のＸ線画像（投影像）に基づいて、後述するように、平面検出器３の検出面３１の歪み量が算出される。
【００４３】
２．校正ファントムの構成
図２は、校正ファントム１０を示した見取り図である。
校正ファントム１０は、ベース板１０１と、複数の球体１０２とを備えている。
ベース板１０１は、正面視正方形状の平板状に形成されており、例えば、ガラス材料からなる。
【００４４】
複数の球体１０２は、例えば、鋼球である。複数の球体１０２は、ベース板１０１の一方の面に固定されている。複数の球体１０２は、ベース板１０１の一方の面に平面的に配列されており、幅方向（左右方向）、及び、幅方向と直交する直交方向（鉛直方向）において、互いにほぼ等間隔を隔てて格子状に配置されている。ベース板１０１の幅方向（左右方向）に配置される球体１０２の数、及び、ベース板１０１の直交方向（鉛直方向）に配置される球体１０２の数は同一である。すなわち、ベース板１０１の一方の面には、複数の球体１０２が、面の中心に対して対称となるように配置されている。この例では、幅方向（左右方向）に５個の球体１０２が配置され、直交方向（鉛直方向）に５個の球体１０２が配置されており、合計で２５個の球体１０２が、ベース板１０１の一方の面に配置されている。複数の球体１０２は、複数の構造物の一例である。
【００４５】
なお、この例では、複数の球体１０２を区別するために、各球体１０２に１〜２５の固有の番号を付して説明する。具体的には、図２に示す左上に位置する球体から右に向かって、１〜２５の番号を順々に付する。より具体的には、図２に示す最も上方に位置する球体１０２の番号を、左から右に向かって１〜５とし、上から２番目に位置する球体１０２の番号を、左から右に向かって６〜１０とし、上から３番目に位置する球体１０２の番号を、左から右に向かって１１〜１５とし、上から４番目に位置する球体１０２の番号を、左から右に向かって１６〜２０とし、最も下方に位置する球体１０２の番号を、左から右に向かって２１〜２５とする。すなわち、図２において、最も上方かつ左方に位置する球体１０２ａの番号は、１であり、最も上方かつ右方に位置する球体１０２ｂの番号は、５であり、最も下方かつ左方に位置する球体１０２ｃの番号は、２１であり、最も下方かつ右方に位置する球体１０２ｄの番号は、２５である。
【００４６】
３．歪み量の算出
平面検出器３の検出面３１の歪み量を算出する際には、ユーザは、複数の球体１０２が配置されている校正ファントム１０の面が平面検出器３の検出面３１とほぼ平行となるようにして、図１に示すように、校正ファントム１０を光源２と平面検出器３との間に配置する（ファントム配置ステップ）。
【００４７】
そして、この状態で、光源２からＸ線が照射され、校正ファントム１０を通過した後のＸ線が、平面検出器３の検出面３１で検出される。制御部４は、平面検出器３からの検出信号に基づいて、投影像を生成する。生成された投影像は、記憶部（図示せず）に記憶される。このときの校正ファントム１０の姿勢が初期状態である。この例では、校正ファントム１０は、図２に示す状態（番号１の球体１０２ａが左上に配置される状態）が初期状態となるようにして、光源２と平面検出器３との間に配置される。
【００４８】
また、この状態（初期状態）から、校正ファントム１０を、軸Ｌを中心として、光源２から平面検出器３に向かう方向に見て時計回りに９０°回転させる。そして、校正ファントム１０が初期状態から９０°回転した状態で、光源２からＸ線が照射され、校正ファントム１０を通過した後のＸ線が、平面検出器３の検出面３１で検出される。制御部４は、平面検出器３からの検出信号に基づいて、投影像を生成する。生成された投影像は、記憶部（図示せず）に記憶される。
【００４９】
その後、同様に、校正ファントム１０を、軸Ｌを中心として、初期状態から１８０°回転させた状態と、初期状態から２７０°回転させた状態とのそれぞれで、光源２からＸ線が照射される。そして、制御部４によって、生成された投影像は、記憶部に記憶される。
【００５０】
このように、校正ファントム１０に直交する軸Ｌを中心に、校正ファントム１０が初期状態から９０°ずつ回転され、それぞれの回転位置で校正ファントム１０を透過するＸ線が平面検出器３の検出面３１で受光される。そして、それぞれの回転位置での校正ファントム１０に対応する投影像が生成される（投影像生成ステップ）。この例では、４つの投影像が生成される。
図３は、平面検出器３からの検出信号に基づいて生成される複数の投影像を概略的に示した図である。
【００５１】
図３では、初期状態の姿勢の校正ファントム１０にＸ線を照射させたときの投影像を投影像０として示しており、初期状態から９０°回転させた姿勢の校正ファントム１０にＸ線を照射させたときの投影像を投影像１として示しており、初期状態から１８０°回転させた姿勢の校正ファントム１０にＸ線を照射させたときの投影像を投影２として示しており、初期状態から２７０°回転させた姿勢の校正ファントム１０にＸ線を照射させたときの投影像を投影像３として示している。
【００５２】
図３では、便宜上、球体１０２ａ（番号１）に対応する球体像２０２ａ、球体１０２ｂ（番号５）に対応する球体像２０２ｂ，球体１０２ｃ（番号２１）に対応する球体像２０２ｃ，球体１０２ｄ（番号２５）に対応する球体像２０２ｄのみを示している。また、各投影像の姿勢を区別するため、球体像２０２ａには、斜線を施している。
【００５３】
制御部４は、記憶部に記憶されている複数の投影像、すなわち、図３に示す複数の投影像に基づいて、平面検出器３の検出面３１の歪み量を算出する。具体的には、制御部４は、図３に示す複数の投影像における複数の球体像２０２の中心位置の座標に基づいて、以下のようにして、平面検出器３の検出面３１の歪み量を算出する。
【００５４】
まず、制御部４は、各投影像における各球体像２０２の中心位置の座標を求める。ここで、投影像ｉにおける番号ｋの球体像２０２の座標をＲ［ｉ］［ｋ］とする。
【００５５】
Ｒ［ｉ］［ｋ］には、平面検出器３の検出面３１の歪み量、及び、校正ファントム１０の各球体１０２を計測する際に生じる計測誤差が含まれている。計測誤差は、例えば、Ｘ線ノイズや、電気系ノイズなどのほか、球体１０２が真球でないなど、各球体１０２に歪みがあることに起因して生じる。
【００５６】
歪み量は、平面検出器３の検出面３１における位置に固有の値である。そのため、各投影像において、同一の位置に同一の歪み量が生じる。例えば、図３では、各投影像における同一の位置Ａには、同一の歪み量が生じている。
【００５７】
投影像における球体像２０２の位置をｊとすると、ｊは、ｆ（ｉ，ｋ）で表すことができる。このｆ（ｉ，ｋ）は、投影像ｉの情報（ｉ）、及び、球体１０２の番号ｋの情報（ｋ）から値が求まる関数であり、これらの情報から球体像２０２の位置ｊが求められることを意味している。
【００５８】
位置ｊでの歪み量をｄ［ｊ］とすると、このｄ［ｊ］は、ｄ［ｆ（ｉ，ｋ）］として表すことができる。具体的には、ｄ［ｆ（ｉ，ｋ）］は、ｉ番目の投影像において、番号ｋに対応する球体像２０２が位置する場所での歪み量を表している。また、投影像ｉを生成する際における番号ｋの球体１０２の計測誤差をｅ［ｉ］［ｋ］とすると、Ｒ［ｉ］［ｋ］を補正した後の補正投影座標であるＲ´´［ｉ］［ｋ］は、下記式（１）で表される。ここでは、計測誤差をｅ［ｉ］［ｋ］は、射影行列を求めるために用いる一部の座標のみ（後述する４つの座標）を算出対象とし、それ以外の座標では０とする。
【００５９】
【数１】
0006717436.tif 000002
また、射影行列Ａ［ｉ］を用いて、補正投影座標であるＲ´´［ｉ］［ｋ］を射影したｒ´´［ｉ］［ｋ］は、下記式（２）で表される。
【００６０】
【数２】
0006717436.tif 000003
【００６１】
式（２）において、Ａ［ｉ］は、投影像ｉを補正した像から、投影像０を補正した像への射影行列である。式（２）において、ｉとして、１〜３を代入するとともに、ｋとして、複数の球体１０２から選択した少なくとも４つの番号を代入し、さらに式（１）を用いることで、Ａ［ｉ］が求まる（決定される）。この例では、ｋとして、番号１，５，２１，２５を代入する。
【００６２】
これにより、Ａ［１］、Ａ［２］、Ａ［３］が決定される。Ａ［１］は、補正投影像１（投影像１を補正した後の投影像）から補正投影像０（投影像０を補正した後の投影像）への射影行列であり、Ａ［２］は、補正投影像２（投影像２を補正した後の投影像）から補正投影像０への射影行列であり、Ａ［３］は、補正投影像３（投影像３を補正した後の投影像）から補正投影像０への射影行列である。
【００６３】
このようにして、制御部４は、複数の投影像（投影像１〜３）における複数の球体像２０２の座標（複数の球体像２０２の座標のうち一部の球体像２０２の座標）、並びに、これらの座標における歪み量をｄ［ｊ］及び計測誤差ｅ［ｉ］［ｋ］に基づいて、射影行列Ａ［ｉ］を決定する（射影行列決定ステップ）。
【００６４】
式（１）において、ｉに０を代入すると、投影像０（初期状態）での補正投影座標であるＲ´´［０］［ｋ］を表す式となる。
投影像０を補正した後の補正投影座標と、投影像１〜３のそれぞれを補正した後、その補正後の座標を射影変換した座標とは、ほぼ等しくなると考えられる。
すなわち、式（１）から導かれるＲ´´［０］［ｋ］と、式（２）のｒ´´［ｉ］［ｋ］とは、ほぼ等しくなると考えられる。
そこで、誤差評価関数Ｅｒｒを下記式（３）のように定義する。
【００６５】
【数３】
0006717436.tif 000004
【００６６】
制御部４では、この誤差評価関数Ｅｒｒが小さくなる最適値となるように、非線形最適化により、歪み量ｄ［ｊ］（歪み量ｄ［ｆ（ｉ，ｋ）］）、及び、計測誤差ｅ［ｉ］［ｋ］を求める。なお、誤差評価関数Ｅｒｒが小さくなる最適値とは、Ｒ´´［０］［ｋ］とｒ´´［ｉ］［ｋ］との誤差が十分小さくなる値や、この誤差を算出する処理を繰り返し実施したときにぶれ幅が少なくなる値などである。
【００６７】
このように、制御部４は、投影像１〜３における複数の球体像２０２の座標に、平面検出器３の検出面３１の歪み量ｄ［ｊ］、及び、射影行列を用いるために用いた４つの座標（一部の座標）の球体１０２の計測誤差ｅ［ｉ］［ｋ］を未知数として付加した補正投影座標を、上記した射影行列決定ステップで決定した射影行列Ａ［ｉ］を用いて射影変換する。制御部４は、その変換後の座標をｒ´´［ｉ］［ｋ］とする。
【００６８】
そして、制御部４は、初期状態で生成された投影像０における複数の球体像２０２の座標に、平面検出器３の検出面３１の歪み量ｄ［ｊ］、及び、球体１０２の計測誤差ｅ［ｉ］［ｋ］を未知数として付加した補正投影座標Ｒ´´［０］［ｋ］と、射影変換することで得られる座標ｒ´´［ｉ］［ｋ］との誤差が小さくなる最適値となるように、平面検出器３の検出面３１の歪み量ｄ［ｊ］及び計測誤差ｅ［ｉ］［ｋ］を算出する（歪み量算出ステップ：式（３））。
【００６９】
このようにして算出された平面検出器３の検出面３１の歪み量は、記憶部に記憶される。そして、Ｘ線撮影装置１を用いてＸ線撮影が行われる場合には、この歪み量に基づいて、平面検出器３からの検出信号が補正され、補正された後の検出信号に基づいて、Ｘ線画像が生成される。なお、上記した説明は、歪み量ｄ［ｊ］に、投影像中心からの距離に比例した歪み量であるΔｄ［ｊ］を加算した場合も同様に成り立つ。
【００７０】
４．作用効果
（１）本実施形態では、図１に示すように、平面検出器３の検出面３１の歪み量を算出する場合には、光源２と平面検出器３との間に校正ファントム１０が配置される（ファントム配置ステップ）。そして、校正ファントム１０の姿勢が初期状態から変化させられ、その変化の前後で光源２からＸ線が出射されて、複数の投影像（投影像０〜３）が生成される（投影像生成ステップ）。また、生成された複数の投影像における球体１０２の像（球体像２０２）の座標に基づいて、平面検出器３の検出面３１の歪み量が算出される（歪み量算出ステップ）。
【００７１】
そのため、校正ファントム１０における複数の球体１０２の位置を事前に計測する必要性や、校正ファントム１０における複数の球体１０２を高精度で同一に製造する必要性を排除できる。
【００７２】
その結果、校正ファントム１０における複数の球体１０２の位置を事前に計測する作業や、校正ファントム１０における複数の球体１０２の寸法を事前に確認する作業などを省くことができ、作業負担を軽減できる。
【００７３】
（２）また、本実施形態では、制御部４は、複数の投影像における複数の球体像２０２の座標（複数の球体像２０２の座標のうち一部の球体像２０２の座標）、並びに、これらの座標における歪み量ｄ［ｊ］及び計測誤差ｅ［ｉ］［ｋ］に基づいて、射影行列Ａ［ｉ］を決定する（射影行列決定ステップ）。そして、制御部４は、初期状態で生成された投影像０における複数の球体像２０２の座標に、平面検出器３の検出面３１の歪み量ｄ［ｊ］、及び、球体１０２の計測誤差ｅ［ｉ］［ｋ］を未知数として付加した補正投影座標Ｒ´´［０］［ｋ］と、射影変換することで得られる座標ｒ´´［ｉ］［ｋ］との誤差が小さくなる最適値となるように、平面検出器３の検出面３１の歪み量ｄ［ｊ］及び計測誤差ｅ［ｉ］［ｋ］を算出する（歪み量算出ステップ）。
【００７４】
このように、平面検出器３の検出面３１の歪み量、及び、球体１０２の計測誤差を付加した補正投影座標と、射影行列を用いて射影変換を行った座標とを用いることにより、平面検出器３の検出面３１の歪み量ｄ［ｊ］を容易に算出できる。
【００７５】
（３）また、本実施形態では、校正ファントム１０に直交する軸Ｌを中心に校正ファントム１０が初期状態から９０°ずつ回転され、それぞれの回転位置で校正ファントム１０を透過するＸ線が平面検出器３の検出面３１で受光される。そして、それぞれの回転位置での校正ファントム１０に対応する投影像が生成されることで、４つの投影像が生成される（投影像生成ステップ）。
【００７６】
そのため、簡易な方法で、複数の投影像を生成できる。
【００７７】
（４）また、本実施形態では、図２に示すように、校正ファントム１０における複数の構造物は、それぞれ球体１０２として構成される。
【００７８】
そのため、校正ファントム１０を簡易に構成できる。そして、その校正ファントム１０を用いて、平面検出器３の検出面３１の歪み量を算出できる。
【００７９】
（５）また、本実施形態では、複数の投影像における複数の球体１０２の座標として、球体像２０２の中心位置の座標が選択される。
【００８０】
そのため、複数の投影像における複数の球体１０２の座標（球体１０２に対応する座標）を容易に計測できる。
【００８１】
５．第２実施形態
以下では、本発明の他の実施形態について説明する。なお、上記した第１実施形態と同様の構成及び方法については、同一の符号等を用いることにより説明を省略する。
【００８２】
上記した第１実施形態では、校正ファントム１０が初期状態から９０°ずつ回転され、それぞれの回転位置で校正ファントム１０を透過するＸ線が平面検出器３の検出面３１で受光されることで、４つの投影像が生成される。
対して、第２実施形態では、３つの投影像が生成される。そして、この３つの投影像に基づいて、平面検出器３の検出面３１の歪み量が算出される。
【００８３】
具体的には、第２実施形態では、校正ファントム１０を保持する保持部は、水平方向に延びる軸線を中心として回転可能に構成されるとともに、鉛直方向に延びる軸線を中心として回転可能に構成される。そして、保持部は、回転駆動部５（図１参照）からの駆動力が付与されることにより、校正ファントム１０を保持した状態で、水平方向に延びる軸線を中心として回転されるとともに、鉛直方向に延びる軸線を中心として回転される。
【００８４】
平面検出器３の検出面３１の歪み量を算出する場合には、投影像生成ステップにおいて、校正ファントム１０を初期状態、当該初期状態から左右反転（鉛直軸まわりに回転）させた状態、及び、当該初期状態から上下反転（水平軸周りに回転）させた状態で、それぞれ校正ファントム１０を透過する光源２からのＸ線を平面検出器３の検出面３１で受光することにより、３つの投影像を生成する。そして、歪み量算出ステップにおいて、生成された３つの投影像における球体１０２の像（球体像２０２）の座標に基づいて、平面検出器３の検出面３１の歪み量が算出される。
【００８５】
このような第２実施形態によれば、平面検出器３の検出面３１の歪み量を算出する際に処理するデータの量を少なくでき、データ処理の負荷を軽減できる。
【００８６】
６．第３実施形態
第３実施形態では、第２実施形態と同様の構成を用いて、投影像生成ステップにおいて、８つの投影像を生成する。具体的には、校正ファントム１０に直交する軸Ｌを中心に、校正ファントム１０を初期状態から９０°ずつ回転させるとともに、初期状態から表裏反転させた状態で、軸Ｌを中心にして校正ファントム１０を初期状態から９０°ずつ回転させる。そして、それぞれの回転位置で校正ファントム１０を透過する光源２からのＸ線を平面検出器３の検出面３１で受光することにより、８つの投影像を生成する。そして、歪み量算出ステップにおいて、生成された８つの投影像における球体１０２の像（球体像２０２）の座標に基づいて、平面検出器３の検出面３１の歪み量が算出される。
【００８７】
このような第３実施形態によれば、多量のデータに基づいて、平面検出器３の検出面３１の歪み量を算出できる。
そのため、平面検出器３の検出面３１の歪み量を高精度で算出できる。
【００８８】
７．第４実施形態
図４は、第４実施形態に係る平面検出器３の歪み量算出方法で用いられる校正ファントム１０を示した見取り図である。
【００８９】
上記した第１実施形態では、図２に示すように、校正ファントム１０において、複数の球体１０２は、幅方向（左右方向）、及び、直交方向（鉛直方向）において、互いにほぼ等間隔を隔てて配置されている。そして、この校正ファントム１０を用いて投影像が生成される。
【００９０】
対して、第２実施形態では、図４に示すように、校正ファントム１０において、複数の球体１０２は、ベース板１０１の一方の面において、同心円上に配置されている。
【００９１】
具体的には、第２実施形態では、複数の球体１０２は、ベース板１０１の一方の面において、軸Ｌを中心とする円周Ｃ１，Ｃ２上に配置されている。円周Ｃ１の半径は、円周Ｃ２の半径よりも小さい。
【００９２】
複数の球体１０２は、円周Ｃ１，Ｃ２上に等角度間隔で配置されている。円周Ｃ１上に配置される球体１０２の数と、円周Ｃ２上に配置される球体１０２の数とは同一である。円周Ｃ１上に配置される球体１０２と、円周Ｃ２上に配置される球体１０２とは、同じ角度位置となるようにベース板１０１上に固定されている。
この例では、複数の球体１０２は、円周Ｃ１，Ｃ２上に４５°間隔で配置されている。
【００９３】
そして、平面検出器３の検出面３１の歪み量を算出する場合には、投影像生成ステップにおいて、校正ファントム１０を軸Ｌを中心として、４５°ずつ回転させ、それぞれの回転位置で校正ファントム１０を透過する光源２からのＸ線を平面検出器３の検出面３１で受光することにより、複数の投影像を生成する。そして、歪み量算出ステップにおいて、生成された複数の投影像における球体１０２の像（球体像２０２）の座標に基づいて、平面検出器３の検出面３１の歪み量が算出される。
【００９４】
このような第４実施形態によれば、校正ファントム１０を様々な角度で回転させて、複数の投影画像を生成できる。
【００９５】
８．第５実施形態
図５は、第５実施形態に係る平面検出器３の歪み量算出方法を説明するための図である。
上記した第１実施形態では、複数の球体１０２が平面的に配列された校正ファントム１０を用いて、平面検出器３の検出面３１の歪み量が算出される。
対して、第５実施形態では、複数の球体１０２が立体的に配置された校正ファントム１００を用いて、平面検出器３の検出面３１の歪み量が算出される。
【００９６】
具体的には、第５実施形態では、平面検出器３の検出面３１の歪み量を算出する際には、ファントム配置ステップにおいて、光源２と平面検出器３との間に、校正ファントム１００が配置される。
【００９７】
校正ファントム１００は、上記した校正ファントム１０を、水平面に沿うようにして鉛直方向に間隔を隔てて３つ配置した部材である。また、各校正ファントム１０では、５つの球体１０２がベース板１０１上に配置されている。具体的には、各校正ファントム１０では、その中心をベース板１０１の中心とする五角形の頂点上に球体１０２が配置されている。また、校正ファントム１００は、ＣＴ撮影用の回転ステージ（図示せず）に載置されており、この回転ステージの動作により、鉛直方向に延びる軸Ｓを中心として回転可能である。なお、校正ファントム１００は、ＣＴ撮影用の移動ステージ（図示せず）に載置されており、この移動ステージの動作により、所定方向に移動可能な構成であってもよい。
【００９８】
平面検出器３の検出面３１の歪み量を算出する場合には、投影像生成ステップにおいて、校正ファントム１００が軸Ｓを中心として、７２°ずつ回転され、それぞれの回転位置で校正ファントム１００を透過する光源２からのＸ線が平面検出器３の検出面３１で受光されることにより、５つの投影像が生成される。
【００９９】
そして、この５つの投影像における球体１０２の座標（球体像の座標）に基づいて、校正ファントム１００における複数の球体１０２の三次元座標が推定される（座標推定ステップ）。
【０１００】
具体的には、５つの投影像における球体１０２（球体像の座標）をＴ［ｉ］［ｋ］とし、投影像の位置ｊにおける歪み量をｇ［ｊ］とすると、各投影像における複数の球体１０２の座標を補正した補正投影座標Ｔ´´［ｉ］［ｋ］は、Ｔ［ｉ］［ｋ］−ｇ［ｊ］で表される。なお、補正投影座標Ｔ´´［ｉ］［ｋ］を求める際に、Ｔ［ｉ］［ｋ］に対して、ｇ［ｊ］のみならず、球体１０２の計測誤差を付加してもよい。
【０１０１】
そして、その補正投影座標Ｔ´´［ｉ］［ｋ］から、周知のバンドル調整法を用いることにより、校正ファントム１００における複数の球体１０２の三次元座標（Ｐ（ｘ，ｙ，ｚ））が推定される。また、バンドル調整法を用いることにより、三次元座標（Ｐ（ｘ，ｙ，ｚ））を平面検出器３の検出面３１に再投影することで得られる座標を再投影座標ｔ［ｉ］［ｋ］とすると、再投影座標ｔ［ｉ］［ｋ］と補正投影座標Ｔ´´［ｉ］［ｋ］とは、ほぼ等しくなると考えられる。
【０１０２】
制御部４は、補正投影座標Ｔ´´［ｉ］［ｋ］と、再投影座標ｔ［ｉ］［ｋ］との誤差が小さくなる最適値となるように、非線形最適化により、歪み量ｇ［ｊ］を求める。なお、誤差が小さくなる最適値とは、補正投影座標Ｔ´´［ｉ］［ｋ］と、再投影座標ｔ［ｉ］［ｋ］との誤差が十分小さくなる値や、この誤差を算出する処理を繰り返し実施したときにぶれ幅が少なくなる値などが挙げられる。
【０１０３】
なお、上記した方法において、未知数となる値は、１２０個である。具体的には、各投影像における投影場所１５個の歪み量に関し、水平方向の成分、及び、鉛直方向の成分が発生するため、３０個の未知数が発生する。また、校正ファントム１００に含まれる１５個の球体１０２の座標に関し、それぞれの三次元成分が発生するため４５個の未知数が発生する。また、位置関係パラメータに関して、投影像ごとに９個の未知数が発生するため、４５個の未知数が発生する。これらの合計で、１２０個の未知数が発生する。一方、上記した説明から導かれる方程式は、各撮影像における球体１０２の像の座標ごと成り立ち、各像ごとに水平方向の成分、及び、鉛直方向の成分が発生するため、合計で１５０個の式が成り立つ。
【０１０４】
すなわち、成り立つ式の数が、未知数の数よりも多いため、これらの未知数を求めることができる。よって、未知数としての歪み量ｇ［ｊ］も求めることができる。
【０１０５】
このように、第５実施形態では、ファントム配置ステップにおいて、複数の球体１０２が立体的に配置された校正ファントム１００が、光源２と平面検出器３との間に配置される。そして、補正投影座標Ｔ´´［ｉ］［ｋ］から、バンドル調整法を用いることにより、校正ファントム１００における複数の球体１０２の三次元座標（Ｐ（ｘ，ｙ，ｚ））が推定される。また、補正投影座標Ｔ´´［ｉ］［ｋ］と、三次元座標（Ｐ（ｘ，ｙ，ｚ））を平面検出器３の検出面３１に再投影することで得られる座標を再投影座標ｔ［ｉ］［ｋ］との誤差が小さくなる最適値となるように、歪み量ｇ［ｊ］が算出される。
【０１０６】
そのため、複数の球体１０２が立体的に配置される校正ファントム１００であっても、その校正ファントム１００を用いて、平面検出器３の検出面３１の歪み量ｇ［ｊ］を算出できる。
また、第５実施形態では、投影像生成ステップでは、ＣＴ撮影用の回転ステージを用いて、校正ファントム１００の回転動作を行う。
そのため、複数の投影像を容易に生成できる。
【０１０７】
９．変形例
上記の実施形態では、Ｘ線撮影装置１に適用される平面検出器３の歪み量を算出するとして説明した。しかし、歪み量算出方法は、光源からＸ線以外の光が出射される装置に用いられる平面検出器の歪み量を算出する場合にも用いることができる。
【０１０８】
また、上記した実施形態では、校正ファントム１０に設けられる複数の構造物は、球体１０２であるとして説明した。しかし、校正ファントム１０において、球体以外の形状の部材を構造物として設けてもよい。
【０１０９】
また、上記した実施形態では、校正ファントムを変化させる前の状態を初期状態として説明した。しかし、校正ファントムを変化させた後のいずれかの状態を初期状態とし、上記した方法により、平面検出器の歪み量を算出してもよい。すなわち、校正ファントムの初期状態とは、平面検出器の歪み量を算出する際における校正ファントムの基準の状態（基準状態）である。
【符号の説明】
【０１１０】
１        Ｘ線撮影装置
２        光源
３        平面検出器
１０      校正ファントム
３１      検出面
１００    校正ファントム
１０２    球体
Ｌ        軸
【図１】
0006717436.tif 000005
【図２】
0006717436.tif 000006
【図３】
0006717436.tif 000007
【図４】
0006717436.tif 000008
【図５】
0006717436.tif 000009